(57)【要約】【課題】等化の精度を向上させることが可能なデジタル放送受信装置を提供する。【解決手段】伝搬路推定部３０は、時間マスク１８と、ＦＦＴ１９との間に信号調整部３５を設ける。信号調整部３５は、時間マスク１８から出力された時間領域のインパルス応答の信号について、さらに所定のしきい値レベル以下の信号をカットする。信号調整部３５を設けることにより、不要な雑音成分をカットして抑制することにより、ＦＦＴ１９において時間領域の信号から周波数領域の信号にフーリエ変換する際の誤差を抑制する。【選択図】図３
2008278363.tif 000002
【特許請求の範囲】
【請求項１】
第０番目から第（Ｎ−１）番目の周波数が互いに異なるキャリア数Ｎの搬送波を用いた直交周波数多重分割伝送方式の受信信号を受信することができるデジタル放送受信装置であって、
直交検波後の同相軸信号および直交軸信号を受けて、フーリエ変換処理する第１のフーリエ変換手段と、
前記第１のフーリエ変換手段からの信号を推定した伝搬路特性に基づいて等化する等化手段と、
前記第１のフーリエ変換手段からの信号から伝搬路特性を推定するための既知のパイロット信号を抽出する抽出手段と、
前記抽出手段により抽出されたパイロット信号から前記等化手段に対して前記推定した伝搬路特性を出力する伝搬路推定手段とを備え、
前記伝搬路推定手段は、
前記抽出手段で抽出した前記パイロット信号を補間処理してパイロット信号が挿入されている搬送波に対する伝搬路特性を推定するための補間フィルタ手段と、
前記補間フィルタ手段からの前記パイロット信号が挿入されている搬送波に対する伝搬路特性の推定から前記パイロット信号が挿入されていない搬送波に対する伝搬路特性を内挿してキャリア数Ｎの搬送波の伝搬路特性を推定して出力する内挿手段とを含み、
前記内挿手段は、
前記補間フィルタ手段の出力信号を逆フーリエ変換する逆フーリエ変換手段と、
前記逆フーリエ変換手段により得られたインパルス応答の信号レベルについて、所定時間以上遅延する信号を除去する時間マスクと、
前記時間マスクされた信号について、所定のしきい値レベル以下の信号をカットする信号調整手段と、
前記信号調整手段からの信号をフーリエ変換する第２のフーリエ変換手段とを有する、デジタル放送受信装置。
【請求項２】
前記伝搬路推定手段は、前記補間フィルタ手段と前記内挿手段との間に設けられ、前記第０番目から第（Ｎ−１）番目までのキャリア数Ｎの搬送波の周波数帯域を複数の区分に分割して、各区分毎の前記パイロット信号が挿入されている搬送波に対する伝搬路特性の推定値を前記内挿手段に出力する帯域分割手段をさらに含む、請求項１記載のデジタル放送受信装置。
【請求項３】
前記内挿手段は、対応する区分に含まれる搬送波の伝搬路特性の推定値および前記対応する区分に隣接する区分に含まれる所定範囲の搬送波の伝搬路特性の推定値を用いて処理する、請求項２記載のデジタル放送受信装置。
【請求項４】
前記内挿手段は、有効データ抽出部を含み、
前記有効データ抽出部は、各区分毎に処理した結果について、前記対応する区分に含まれる搬送波の伝搬路特性の推定値を有効区間として処理し、前記対応する区分に隣接する区分に含まれる所定範囲の搬送波の伝搬路特性の推定値を無効区間として処理する、請求項３記載のデジタル放送受信装置。
【請求項５】
前記内挿手段は、前記信号調整手段に対してしきい値レベルを設定する情報出力部をさらに含み、
前記情報出力部は、前記複数の区分の少なくとも１つの区分について処理する際、しきい値レベルを調整する、請求項２〜４のいずれか一項に記載のデジタル放送受信装置。
【請求項６】
前記伝搬路推定手段は、前記補間フィルタ手段と前記内挿手段との間に設けられた外挿手段をさらに含み、
前記補間フィルタ手段は、前記抽出手段で抽出された前記第０番目から第（Ｎ−１）番目までのキャリア数Ｎの搬送波に所定間隔毎に挿入されていたパイロット信号を補間処理して前記パイロット信号が挿入されている搬送波に対する伝搬路特性を推定し、
前記外挿手段は、前記第０番目から第（Ｎ−１）番目までのキャリア数Ｎの搬送波の周波数帯域よりも外側の前記第０番目の搬送波に近い第１の端部領域に対して、前記第０番目から第（Ｎ−１）番目までのキャリア数Ｎの搬送波のうちの前記抽出手段で抽出されたパイロット信号が挿入されている最初の搬送波に対する伝搬路特性の推定値を外挿し、前記周波数帯域よりも外側の前記（Ｎ−１）番目の搬送波に近い第２の端部領域に対して、前記抽出手段で抽出されたパイロット信号が挿入されている最後の搬送波に対する伝搬路特性の推定値を外挿する、請求項１または請求項２記載のデジタル放送受信装置。
【発明の詳細な説明】
【技術分野】
【０００１】
この発明は、デジタル放送受信装置に関し、より特定的には、地上波デジタル放送の復調において直交周波数分割多重（ＯＦＤＭ：Orthogonal Frequency Division Multiplexing）伝送方式の受信信号のマルチパスによる歪みを補償する等化回路に関する。
【背景技術】
【０００２】
近年、移動体端末向けのデジタル音声放送や、地上系のデジタルテレビ放送において、ＯＦＤＭ伝送方式が注目されている。
【０００３】
このＯＦＤＭ伝送方式は、伝送するデジタルデータで互いに直交する多数の搬送波（以下、キャリアとも称する）を変調し、それらの変調波を多重して伝送する方式である。
【０００４】
地上系のデジタル放送においては、一般的にマルチパスが存在し、このマルチパスにより、受信信号の周波数特性が歪むことになるので、このマルチパスの影響を軽減することが重要な課題となっている。
【０００５】
そのため、ＯＦＤＭ伝送方式においては、本来伝送するべき信号の一部をコピーした信号をガードインターバルとして付加するようにしている。このガードインターバルを設定することにより、マルチパスによる歪みの影響を効果的に除去することができる。
【０００６】
また、各キャリアの変調方式にＱＡＭ変調方式を用いるＯＦＤＭ伝送方式では、マルチパスによる歪みが発生すると、キャリアごとに、その振幅および位相が送信側の振幅および位相と異なるものとなる。このため、受信装置では、これらが等しくなるように、マルチパスによる歪みの影響を受けた信号を等化する（補正する）必要がある。
【０００７】
ＯＦＤＭ伝送方式では、受信側でＦＦＴ（高速フーリエ変換）処理を行なって復調を行なうため、伝送信号中にパイロット信号を散在させておき、このパイロット信号の振幅および位相を受信側において監視することで、伝搬路特性を推定し、この推定した伝搬路特性に基づいて受信信号を等化することとしている。
【０００８】
図１４は、従来のデジタル放送受信装置の一般的な構成を示すブロック図である。
なお、本図は、デジタル放送受信装置の全体構成のうちＦＦＴ復調後、伝搬路特性の推定を行ないＯＦＤＭ受信信号の等化を実行する部位を抽出して示したものである。
【０００９】
図１４を参照して、具体的には、アンテナを介して受信されたＯＦＤＭ信号は、ベースバンドのＯＦＤＭ信号として、図示しないＦＦＴ回路に与えられる。ＦＦＴ回路は、入力されたベースバンドのＯＦＤＭ信号をＦＦＴ処理してＯＦＤＭ信号を復調する。
【００１０】
パイロット信号抽出部２５は、ＦＦＴ回路の出力から予め定まっている規則に従ってデータ信号とは別に搬送波に挿入されている既知のパイロット信号を抽出し、パイロット信号が挿入されている搬送波に対する伝搬路特性に基づいて、全搬送波に対するデータ信号の伝搬路特性を推定する伝搬路推定部１０に出力する。
【００１１】
伝搬路推定部１０は、パイロット信号の受けた振幅および位相の変動からデータ信号に対する伝搬路特性を推定して、その結果を等化部６に出力する。
【００１２】
等化部６は、伝搬路推定部１０からの推定された伝搬路特性を受けて、ＦＦＴ回路から入力された信号を等化（補正）して伝搬路特性に対する歪み成分を除去する。
【００１３】
等化部６は、ＦＦＴ回路より入力された復調信号を推定された伝搬路特性として供給された振幅と位相とで除算し、伝搬路特性に対する歪み成分を除去する。
【００１４】
例えば、ＦＦＴ回路より入力される搬送波の振幅が、本来の振幅の１／２である場合、推定された伝搬路特性である振幅情報として、１／２が供給される。そこで、等化部６で、ＦＦＴ回路入力された信号の振幅を上記振幅情報で除算すれば、元の１（＝（１／２）／（１／２））の振幅の信号を得ることができる。位相についても同様に、複素演算を行なうことで、元の位相の信号を得ることができる。
【００１５】
図１５は、伝搬路推定部１０の構成を説明する概略ブロック図である。
図１５を参照して、伝搬路推定部１０は、補間フィルタ１６と、逆高速フーリエ変換部（ＩＦＦＴ）１７と、時間マスク１８と、高速フーリエ変換部（ＦＦＴ）１９とを含む。
【００１６】
ここで伝搬路特性の推定方式について説明する。
図１６は、地上波デジタル放送におけるパイロット信号（ＳＰ）の配置を説明する図である。
【００１７】
図１６に示されるように、１つのＯＦＤＭシンボルの周波数方向には、１２本の搬送波（キャリア）に対して１本の割合で、パイロット用の搬送波信号（パイロット信号）が挿入される。さらに、時間方向には、ＯＦＤＭシンボルごとに、パイロット用の搬送波信号の挿入位置が３搬送波ずつシフトされるように配置されている。なお、このような配置のパイロット信号は、スキャッタードパイロット信号とも呼ばれ、符号ＳＰを用いて示されている。
【００１８】
このパイロット信号は、パイロット信号抽出部２５で抽出処理され、伝搬路推定部１０の補間フィルタ１６でパイロット点が補間処理される。
【００１９】
図１７は、補間フィルタ１６において補間処理したパイロット点を説明する図である。
図１７に示されるように補間フィルタ１６において、抽出されたパイロット点が補間処理されて、伝搬路特性が推定される。
【００２０】
具体的には、抽出したパイロット点のパイロット信号から受信器側で生成したパイロット信号を除算することにより、パイロット点における搬送波の伝搬路特性の推定値すなわちパイロット信号の挿入された搬送波に対する伝搬路特性の推定値を算出することが可能である。
【００２１】
そして、このパイロット信号が挿入されていない搬送波について周波数方向の内挿処理を行なうことにより、パイロット信号に対する伝搬路特性の推定値から全搬送波（キャリア）におけるデータ信号の伝搬路特性を推定することが可能である。
【００２２】
当該内挿処理は、ＩＦＦＴ１７，時間マスク１８およびＦＦＴ１９で構成される内挿手段により行なわれる。
【００２３】
この内挿手段により、パイロット信号が挿入された搬送波に対する伝搬路特性の推定値から全搬送波（キャリア）におけるデータ信号の伝搬路特性の推定値を得ることができるため等化部６において伝搬路特性に対する歪み成分を除去することが可能である。
【００２４】
なお、ＯＦＤＭ伝送方式においてＦＦＴ回路から入力された信号の伝搬路特性を推定して、伝搬路特性に対する歪み成分を除去する方式等については、非特許文献１にも記載されている周知の技術であるため詳細な説明は省略する。
【００２５】
一方、当該伝搬路推定部１０からのデータ信号の伝搬路特性の推定結果に誤差が生じれば等化の精度は低下することになる。
【００２６】
図１５においては、ＩＦＦＴ１７と、ＦＦＴ１９との間に補間フィルタ１６からの伝搬路特性の推定結果の誤差を除去する手段として時間マスク１８が設けられている場合が示されている。ＩＦＦＴ１７は、補間フィルタ１６からの推定された伝搬路特性に対して時間領域のインパルス応答の信号に変換する。
【００２７】
そして、時間マスク１８において、ある一定以上の遅延を持つ成分については０にマスクする。すなわち、時間マスク１９において、通常、信号が想定されない長遅延の成分については０にマスクしてしまうことで、雑音を除去している。
【００２８】
ここで、時間マスクの範囲としては、信号の想定される遅延時間（例えばガードインターバル長程度）に予め定められている。それ以上短くすると、雑音成分だけでなく、マルチパス等による長遅延の信号成分が存在した場合に当該信号成分も除去してしまうことになるからである。
【００２９】
そして、ＦＦＴ１９から誤差を除去した推定した伝搬路特性であるＩ成分およびＱ成分が等化部６に出力されて上述の等化処理が実行される。なお、特許文献１においては、一例として補間フィルタの帯域幅を制御して必要最小限のパイロット信号だけを処理することとして、不要な帯域のノイズ成分による影響を低減する方式が示されている。
【特許文献１】特開平１１−２３９１１５号公報
【非特許文献１】伊丹  誠著、「わかりやすい  ＯＦＤＭ技術」：オーム社、平成１７年１１月１５日、ｐ６６−８２
【発明の開示】
【発明が解決しようとする課題】
【００３０】
しかしながら、受信器自体は動作に伴い例えばある程度の熱を有することとなり回路抵抗体中の電子の不規則な熱運動によって生じる熱雑音等の雑音成分の影響により伝搬路推定部における推定値が影響を受ける可能性がある。
【００３１】
図１８は、時間マスク１８を通過した時間マスク後のＩＦＦＴ出力を説明する図である。
【００３２】
図１８に示されるように時間マスク１８により一定以上の遅延を持つ長遅延の雑音成分については除去可能であるが、雑音成分はあらゆる時間成分に存在するため所望の信号周辺領域に生じた雑音成分は除去することができない。
【００３３】
したがって、当該雑音成分の信号が残存することにより、伝搬路推定部における伝搬路特性の推定結果に誤差が生じる可能性があり、特に信号対雑音電力比の低い受信環境において等化の精度が低下する可能性がある。
【００３４】
本発明は、上記のような問題を解決するためにされたものであって、等化の精度を向上させることが可能なデジタル放送受信装置を提供することを目的とする。
【課題を解決するための手段】
【００３５】
本発明に係るデジタル放送受信装置は、第０番目から第（Ｎ−１）番目の周波数が互いに異なるキャリア数Ｎの搬送波を用いた直交周波数多重分割伝送方式の受信信号を受信することができるデジタル放送受信装置であって、直交検波後の同相軸信号および直交軸信号を受けて、フーリエ変換処理する第１のフーリエ変換手段と、第１のフーリエ変換手段からの信号を推定した伝搬路特性に基づいて等化する等化手段と、第１のフーリエ変換手段からの信号から伝搬路特性を推定するための既知のパイロット信号を抽出する抽出手段と、抽出手段により抽出されたパイロット信号から等化手段に対して推定した伝搬路特性を出力する伝搬路推定手段とを備える。伝搬路推定手段は、抽出手段で抽出したパイロット信号を補間処理してパイロット信号が挿入されている搬送波に対する伝搬路特性を推定するための補間フィルタ手段と、補間フィルタ手段からのパイロット信号が挿入されている搬送波に対する伝搬路特性の推定からパイロット信号が挿入されていない搬送波に対する伝搬路特性を内挿してキャリア数Ｎの搬送波の伝搬路特性を推定して出力する内挿手段とを含む。内挿手段は、補間フィルタ手段の出力信号を逆フーリエ変換する逆フーリエ変換手段と、逆フーリエ変換手段により得られたインパルス応答の信号レベルについて、所定時間以上遅延する信号を除去する時間マスクと、時間マスクされた信号について、所定のしきい値レベル以下の信号をカットする信号調整手段と、信号調整手段からの信号をフーリエ変換する第２のフーリエ変換手段とを有する。
【００３６】
好ましくは、伝搬路推定手段は、補間フィルタ手段と内挿手段との間に設けられ、第０番目から第（Ｎ−１）番目までのキャリア数Ｎの搬送波の周波数帯域を複数の区分に分割して、各区分毎のパイロット信号が挿入されている搬送波に対する伝搬路特性の推定値を内挿手段に出力する帯域分割手段をさらに含む。
【００３７】
特に、内挿手段は、対応する区分に含まれる搬送波の伝搬路推定値および対応する区分に隣接する区分に含まれる所定範囲の搬送波の伝搬路推定値を用いて処理する。
【００３８】
特に、内挿手段は、有効データ抽出部を含み、有効データ抽出部は、各区分毎に処理した結果について、対応する区分に含まれる搬送波の伝搬路推定値を有効区間として処理し、対応する区分に隣接する区分に含まれる所定範囲の搬送波の伝搬路推定値を無効区間として処理する。
【００３９】
特に、内挿手段は、信号調整手段に対してしきい値レベルを設定する情報出力部をさらに含む。情報出力部は、複数の区分の少なくとも１つの区分について処理する際、しきい値レベルを調整する。
【００４０】
好ましくは、伝搬路推定手段は、補間フィルタ手段と内挿手段との間に設けられた外挿手段をさらに含む。補間フィルタ手段は、抽出手段で抽出された第０番目から第（Ｎ−１）番目までのキャリア数Ｎの搬送波に所定間隔毎に挿入されていたパイロット信号を補間処理してパイロット信号が挿入されている搬送波に対する伝搬路特性を推定する。外挿手段は、第０番目から第（Ｎ−１）番目までのキャリア数Ｎの搬送波の周波数帯域よりも外側の第０番目の搬送波に近い第１の端部領域に対して、第０番目から第（Ｎ−１）番目までのキャリア数Ｎの搬送波のうちの抽出手段で抽出されたパイロット信号が挿入されている最初の搬送波に対する伝搬路特性の推定値を外挿し、周波数帯域よりも外側の（Ｎ−１）番目の搬送波に近い第２の端部領域に対して、抽出手段で抽出されたパイロット信号が挿入されている最後の搬送波に対する伝搬路特性の推定値を外挿する。
【発明の効果】
【００４１】
本発明に係るデジタル放送受信装置は、所定のしきい値レベル以下の信号をカットする信号調整手段を設けることにより、時間マスクにより除去することのできない伝搬路特性の推定値に含まれる不要な雑音成分を抑制することにより、等化の精度を向上させることができる。
【発明を実施するための最良の形態】
【００４２】
以下において、本発明の実施の形態について図面を参照して詳しく説明する。なお、図中同一符号は同一または相当部分を示す。
【００４３】
［実施の形態１］
図１は、本発明の実施の形態１に従うデジタル放送受信装置の全体構成を示す概略ブロック図である。
【００４４】
図１を参照して、デジタル放送受信装置１０００は、アンテナ（図示せず）より受信されたＲＦ信号は、チューナ１００により選局され、ＯＦＤＭ復調部１０２にそれぞれ与えられる。チューナ１００は、アンテナからのＲＦ入力信号を中間周波数（ＩＦ周波数）にダウンコンバートし、所定の帯域制限を受けてアナログＯＦＤＭ信号に変換して、ＯＦＤＭ復調部１０２に出力する。
【００４５】
ＯＦＤＭ復調部１０２からの復調信号は、トランスポートストリームデコーダ（以下、ＴＳデコーダとも称する）１０４に与えられ、ＭＰＥＧデコード部１１０に与えられる。すなわち、ＴＳデコーダ１０４では、トランスポートストリームデータから映像や音声などのデータストリームの抽出が行なわれる。
【００４６】
ＭＰＥＧデコード部１１０は、ＴＳデコーダ１０４から与えられたデータストリームを受けて、ランダムアクセスメモリ（以下、ＲＡＭとも称する）１１２をデータを一時蓄積するバッファとして用いることで、映像信号および音声信号へと変換する。
【００４７】
デジタル放送受信装置１０００は、さらに、データバスＢＳ１を介して、ＴＳデコーダ１０４からの信号を受けて格納するための内蔵蓄積デバイス１４８と、データバスＢＳ１を介して、内蔵蓄積デバイス１４８に蓄積されたデータに対して、所定の処理を行なって出力するための演算処理部１４４と、演算処理部１４４の演算処理におけるプログラムを記録するためのＲＯＭ１４０と、演算処理部１４４の動作のためのメモリ領域を提供するＲＡＭ１４２と、データバスＢＳ１と外部との間でデータ入出力を行なうための高速デジタルインターフェイス１４６とを備える。
【００４８】
演算処理部１４４が外部からの指示に従って内蔵蓄積デバイス１４８中に蓄積されたデータに対して所定の処理を行なうと、処理後のデータは、オンスクリーンディスプレイ（On Screen Display）処理部１３０から合成器１６０．２に与えられる。
【００４９】
合成器１６０．２は、ＭＰＥＧデコード部１１０からの出力と、オンスクリーンディスプレイ処理部１３０からの出力とを合成した後、映像出力端子１６４に与える。映像出力端子１６４からの出力は、表示部１００４に与えられる。
【００５０】
デジタル放送受信装置１０００は、さらに、内蔵蓄積デバイス１４８に蓄積されたデータに基づいて、演算処理部１４４が処理した結果のデータ等を受けて、表示部１００４において出力される映像に対する効果音などを生成して、合成器１６０．１に与えるための付加音生成器１２０と、内蔵蓄積デバイス１４８に蓄積されたデータ等に基づいて演算処理部１４４が処理したデータを受けて、音声信号を生成し、合成器１６０．１に与えるＰＣＭデコーダ１２２を備える。
【００５１】
合成器１６０．１は、ＭＰＥＧデコード部１１０からの出力と、付加音生成器１２０およびＰＣＭデコーダ１２２からの出力とを受けて、合成結果を音声出力端子１６２に与える。音声出力端子１６２に与えられた音声信号は、音声出力部１００２から音声信号として出力される。
【００５２】
なお、デジタル放送受信装置１０００は、必要に応じて、外部との間でデータ授受を行なうためのモデム１５０や、ＩＣカードからの情報を受取るためのＩＣカードインターフェイス１５２を備える構成としてもよい。
【００５３】
高速デジタルインターフェイス１４６を介して、たとえば、ホームサーバ用のＨＤＤ装
置などの外部蓄積デバイス１８０や、外部入力機器１８２であるリモコン（あるいはキーボード等）とデータバスＢＳ１とが接続されている。
【００５４】
また、デジタル放送受信装置１０００は、映像出力を受けてディスプレイに表示する表示部１００４や音声出力信号を受けて音声を出力するスピーカ等の音声出力部１００２と一体化された構成であってもよい。
【００５５】
図２は、図１におけるＯＦＤＭ復調部１０２の構成を示すブロック図である。
図２を参照して、ＯＦＤＭ復調部１０２は、Ａ／Ｄ回路２と、ヒルベルト変換部３と、キャリア同期部４と、ＦＦＴ回路５と、等化部６と、シンボル同期部７と、クロック同期部８と、パイロット信号抽出部２５と、伝搬路推定部３０と、周波数デインタリーブ１１と、時間デインタリーブ１２と、デマッピング１３と、ビットデインタリーブ１４と、ビタビ復号部１５と、バイトデインタリーブ１６と、ＴＳ再生部１７と、ＲＳ復号部１８とを含む。
【００５６】
図１で説明したように、チューナ１００からのアナログＯＦＤＭ信号は、アナログデジタル変換回路２（Ａ／Ｄ回路２とも称する）に入力され、アナログＯＦＤＭ信号をデジタル信号に変換する。
【００５７】
次に、デジタル信号に変換されたＯＦＤＭ信号は、ヒルベルト変換部３により同相検波軸信号（実軸成分の信号）であるＩ信号および直交検波軸信号（虚軸成分の信号）であるＱ信号の複素ＯＦＤＭ信号が生成される。
【００５８】
ヒルベルト変換部３で生成された複素ＯＦＤＭ信号は、キャリア同期部４に送られる。
キャリア同期部４は、シンボル同期部７から出力される相関信号に基づいて送信キャリア周波数と受信キャリア周波数のキャリア間隔の搬送波周波数誤差を補正する。
【００５９】
シンボル同期部７は、ＯＦＤＭ信号の特徴である有効シンボル期間の一部をガードインターバル期間として複写することで、１つのシンボルを形成することを利用し、有効シンボル期間遅延した信号と遅延しない信号の相関値に基づいてシンボル同期を算出する。
【００６０】
また、シンボル同期部７は、搬送波周波数以内の周波数誤差を補正するために相関値に基づく相関信号をキャリア同期部４に出力する。
【００６１】
クロック同期部８は、シンボル同期部７で得られるシンボル同期のタイミングのずれからクロック同期を算出し、Ａ／Ｄ回路２のサンプリング周波数を制御する。
【００６２】
ＦＦＴ５は、複素ＯＦＤＭ信号に対して高速フーリエ変換処理を施し、時間軸領域から周波数軸領域の信号に変換する。
【００６３】
パイロット信号抽出部２５は、ＦＦＴ５の出力からパイロット信号を抽出し、パイロット信号から伝搬路特性を推定する伝搬路推定部３０に出力する。
【００６４】
伝搬路推定部３０は、パイロット信号の受けた振幅および位相の変動から伝搬路特性を推定して、その結果を等化部６に出力する。
【００６５】
等化部６は、伝搬路推定部３０からの推定された伝搬路特性を受けて、ＦＦＴ５から入力された信号を等化（補正）して伝搬路特性に対する歪み成分を除去する。
【００６６】
上述したように等化部６は、ＦＦＴ回路より入力された復調されたデータ信号に対して推定された伝搬路特性として供給された振幅と位相とで除算し、伝搬路特性に対する歪み成分を除去し、そして周波数デインタリーブ１１に出力する。
【００６７】
周波数デインタリーブ１１は、電波の反射などによる特定周波数の信号の欠落を補うために行なわれた周波数インタリーブを元に戻す処理を行なう。
【００６８】
周波数デインタリーブ１１の出力は、時間デインタリーブ１２に与えられ、時間デインタリーブ１２は、耐フェージングなどのために施された時間インタリーブを元に戻す処理を行なう。
【００６９】
時間デインタリーブが行なわれた実軸成分の信号（Ｉ信号）および虚軸成分の信号（Ｑ信号）は、デマッピング１３において２ビット（ＱＰＳＫの場合）、４ビット（１６ＱＡＭの場合）または６ビット（６４ＱＡＭの場合）の信号にそれぞれ変換される。
【００７０】
ビットデインタリーブ２１は、デマッピングが行なわれた信号に対して誤り訂正を増加させる目的で行なわれたビットインタリーブを解除する。
【００７１】
ビタビ復号部１５は、送信側で行なわれた畳み込み符号を用いて誤り訂正を行なう。
バイトデインタリーブ１６は、ビタビ復号が行なわれた信号に対してビットインタリーブと同様に誤り訂正を増加させる目的で行なわれたバイトインタリーブを解除する。そして、ＴＳ再生部１７において、トランスポートストリーム形式に沿ったデータの再構成が行なわれ、ＲＳ復号部１８において、送信側でリードソロモン符号化されたデータが復号される。ＲＳ復号部１８は、図示しないＴＳデコーダに対してリードソロモン復号された結果を出力する。
【００７２】
そして、誤り訂正された信号は、図示しないＭＰＥＧデコード部において圧縮信号が伸長され、デジタル／アナログ変換によってアナログ映像およびアナログ音声信号に変換された後、出力される。
【００７３】
図３は、本発明の実施の形態１に従う伝搬路推定部３０の概略ブロック図である。
図３を参照して、本発明の実施の形態１に従う伝搬路推定部３０は、補間フィルタ１６と、ＩＦＦＴ１７と、時間マスク１８と、信号調整部３５と、ＦＦＴ１９とを含む。
【００７４】
本発明の実施の形態１に従う伝搬路推定部３０は、図１５で説明した伝搬路推定部１０と比較して、時間マスク１８とＦＦＴ１９との間に信号調整部３５をさらに設けた点が異なる。その他の部分については、図１５と同様であるのでその詳細な説明は繰り返さない。
【００７５】
なお、上述したように等化処理については、上記と同様であり、本発明の実施の形態１においては、主に伝搬路推定部におけるＯＦＤＭ信号に生じた伝搬路歪みの誤差を抑制する方式について説明する。
【００７６】
ここで、信号調整部３５は、時間マスク１８から出力された時間領域のインパルス応答の信号について、さらに所定のしきい値レベル以下の信号をカットする。なお、しきい値レベルについては、外部から入力することも可能であるし、本例においては、一例としてＲＯＭ１４０に当該データを予め格納し、ＲＯＭ１４０から読み出して設定することも可能である。
【００７７】
図４は、信号調整部３５において、所定のしきい値レベル以下の信号をカットする場合を説明する図である。
【００７８】
図４に示されるように、時間マスク１８通過後のＩＦＦＴ出力であるインパルス応答に対して、所定のしきい値レベルが設定されている場合が示されている。信号調整部３５は、このしきい値レベル以下の信号をカットしてＦＦＴ１９に出力する。
【００７９】
図５は、信号調整部３５により所定のしきい値レベル以下の信号をカットした場合を説明する図である。
【００８０】
図５に示されるように、所定のしきい値レベル以下の信号をカットすることにより、熱雑音等により生じる不要な雑音成分をさらに抑制することが可能である。
【００８１】
上述したように図１８においては、時間マスク１８により一定以上の遅延を持つ長遅延の雑音成分については除去可能であるが、雑音成分はあらゆる時間成分に存在するため所望の信号周辺領域に生じた雑音成分は除去することができない。
【００８２】
本実施の形態１に従う信号調整部３５を設けることにより、所望の信号周辺領域に生じた不要な雑音成分もカットして抑制することにより、ＦＦＴ１９から出力される伝搬路特性の推定値の誤差を抑制することが可能であるため信号対雑音電力比の低い受信環境においても等化の精度を向上させることができる。
【００８３】
［実施の形態２］
上記の実施の形態１においては、熱雑音等の影響により生じる雑音成分を信号調整部３５でカットして抑制する方式について説明した。
【００８４】
一方、伝搬路推定部は、上述したようにＯＦＤＭ伝送帯域におけるパイロット信号の挿入された搬送波に対する伝搬路特性の推定値に基づいて、ＩＦＦＴ処理およびＦＦＴ処理に基づく周波数方向のパイロット信号の挿入されていない搬送波の伝搬路特性の推定値の内挿処理を実行して全搬送波の伝搬路特性の推定を行なう点について説明したが、ＩＦＦＴ処理およびＦＦＴ処理するＦＦＴの窓区間によっては、伝搬路特性の推定値がＯＦＤＭ伝送帯域の端において誤差を生じさせる可能性がある。
【００８５】
図６は、ＯＦＤＭ伝送帯域におけるＦＦＴの窓区間を説明する図である。
図６を参照して、ここでは、ＦＦＴの窓区間がＯＦＤＭ伝送帯域に対して広い場合が示されている。そして、ＯＦＤＭ伝送帯域におけるパイロット信号に基づいて推定された伝搬路特性の推定値が示されている。縦軸は、電力スペクトラム、横軸は周波数である。この場合、ＯＦＤＭ伝送帯域については有効区間とし、帯域外の部分は無効区間とされて０で埋めた値とされる。
【００８６】
例えば、日本の地上ディジタルテレビ伝送方式（ＩＳＤＢ−Ｔ伝送方式）のモード３の場合、ＯＦＤＭの搬送波数は、Ｎｃ＝５６１７個であり、それに対してＦＦＴ処理する点数（ＦＦＴの窓区間）がＮ＝８１９２とすると、ＯＦＤＭ信号の帯域外の無効区間である０埋め区間が２５７５点と大きくなる。
【００８７】
そして、さらに、時間マスク１８および信号調整部３５により雑音成分を除去する場合、時間軸の主に時間０付近の所定のレベル以上の信号成分のみが残り、雑音成分のみならず信号レベルが低い信号成分がカットされる可能性もある。
【００８８】
図７は、図６の伝搬路特性の推定値に対してＩＦＦＴ処理、時間マスク処理、信号調整処理およびＦＦＴ処理を実行して元の波形に戻した場合の図である。
【００８９】
図７を参照して、ここでは、ＦＦＴ処理後の伝搬路特性の推定値がＯＦＤＭ伝送帯域の端部において本来の大きさよりも小さな値となっていることが示されている。
【００９０】
これは、図７に示されるようにＦＦＴ窓区間がＯＦＤＭ伝送帯域に対して広い場合に帯域外の無効区間が０埋め区間であるとともに、時間マスク処理および信号調整処理により信号成分がカットされて０とされるために非連続な箇所の変化が鈍ってＯＦＤＭ伝送帯域の端部において誤差が生じ易くなる可能性がある。
【００９１】
本発明の実施の形態２においては、上記のようなＯＦＤＭ伝送帯域の帯域端の部分に生じる誤差を抑制する方式について説明する。
【００９２】
図８は、本発明の実施の形態２に従う伝搬路推定部３０＃の概略ブロック図である。
図８を参照して、本発明の実施の形態２に従う伝搬路推定部３０＃は、図３で説明した伝搬路推定部３０と置換可能であり、補間フィルタ１６と、ＩＦＦＴ１７との間にさらに外挿部３６を設ける。その他の部分については、図３と同様であるのでその詳細な説明は繰り返さない。
【００９３】
ここで、外挿部３６は、補間フィルタ１６から出力された周波数領域のＯＦＤＭ信号に対して外挿処理を実行する。
【００９４】
図９は、外挿部３６における外挿処理を説明する図である。
図９を参照して、ここでは、ＦＦＴ窓区間がＯＦＤＭ伝送帯域に対して広い場合が示されている。具体的には、ＯＦＤＭ伝送帯域の全搬送波数がＮ個、ＦＦＴ窓区間がＭ（＞Ｎ）点である場合が示されている。そして、ＯＦＤＭの搬送波である第０番目〜第（Ｎ−１）番目までの搬送波Ｈ［０］〜Ｈ［Ｎ−１］のＯＦＤＭ伝送帯域においてパイロット信号が挿入された搬送波により推定された伝搬路特性の推定値が示されている。縦軸は、電力スペクトラム、横軸は周波数である。
【００９５】
具体的には、補間された０番目、３番目、６番目の搬送波Ｈ［０］、Ｈ［３］、Ｈ［６］・・・について挿入されたパイロット信号から推定した伝搬路特性の推定値が示されている。なお、ここでは、（Ｎ−１）は３の倍数であるものとする。
【００９６】
外挿部３６は、ＯＦＤＭ伝送帯域のキャリア数Ｎの全搬送波の周波数帯域よりも外側の帯域である搬送波の存在しない無効区間部分の一部について伝搬路特性の推定値を用いて外挿する処理を実行する。具体的には、パイロット信号が挿入されている最初の搬送波Ｈ［０］に近い周波数帯域よりも外側の帯域に対して搬送波Ｈ［０］の伝搬路特性の推定値を用いて所定範囲外挿する処理を行なう。
【００９７】
また、パイロット信号が挿入されている最後の搬送波Ｈ［Ｎ−１］に近い周波数帯域よりも外側の帯域に対して搬送波Ｈ［Ｎ−１］の伝搬路特性の推定値を用いて所定範囲外挿する処理を行なう。
【００９８】
本例においては、搬送波の存在しない部分であるＯＦＤＭ伝送帯域（周波数帯域）に対する左側領域について、第０番目の搬送波Ｈ［０］の伝搬路特性の推定値で所定範囲外挿する。また、右側領域について、第［Ｎ−１］番目の搬送波Ｈ［Ｎ−１］の伝搬路特性の推定値で所定範囲外挿する。なお、ここで所定範囲は、ＦＦＴ窓区間の範囲に従って適切に設定することが望ましく、搬送波の存在しない無効区間の領域が小さい場合には、無効区間の部分の全部の領域について第０番目の搬送波Ｈ［０］の伝搬路特性の推定値あるいは第［Ｎ−１］番目の搬送波Ｈ［Ｎ−１］の伝搬路特性の推定値で外挿しても良い。
【００９９】
なお、一例として搬送波Ｈ［Ｎ−１］は、パイロット信号が挿入される３の倍数の最後の搬送波である場合について説明したが、搬送波Ｈ［Ｎ−１］がパイロット信号が挿入されない搬送波である場合には、パイロット信号抽出手段２５で抽出されたパイロット信号が挿入されている最後の搬送波の伝搬路特性の推定値を用いて外挿処理する。また、同様に搬送波Ｈ［０］は、パイロット信号が挿入される最初の搬送波である場合について説明しているが、搬送波Ｈ［０］がパイロット信号が挿入される搬送波でない場合には、パイロット信号抽出手段２５で抽出されたパイロット信号が挿入されている最初の搬送波の伝搬路特性の推定値を用いて外挿処理することが可能である。
【０１００】
図１０は、図９の信号波形に対してＩＦＦＴ処理およびＦＦＴ処理を実行した場合の図である。
【０１０１】
図１０に示されるようにＦＦＴ窓区間がＯＦＤＭ伝送帯域に対して広い場合であっても、外挿部３６により外挿処理を施すことによりＯＦＤＭ伝送帯域（周波数帯域）の端部の搬送波の存在しない所定領域において伝搬路特性の推定値が与えられてＩＦＦＴ、ＦＦＴ処理される。すなわち信号波形において非連続な変化をする箇所がＯＦＤＭ伝送帯域外に移行するため、ＩＦＦＴ、ＦＦＴ処理によりＯＦＤＭ伝送帯域の端部における連続性が維持され、帯域端の部分の振幅が本来の大きさよりも小さな値になることを抑制することが可能である。すなわち、ＩＦＦＴ、ＦＦＴ処理に従う誤差を抑制することができる。なお、点線で囲まれる領域は、伝搬路特性の推定における有効区間として用いられる領域を示す。
【０１０２】
当該方式により、所定範囲、ＯＦＤＭ伝送帯域端の搬送波の伝搬路特性の推定値を外挿して処理することにより帯域端の誤差を抑制することが可能である。これにより、ＯＦＤＭ伝送帯域端における伝搬路特性の推定値の誤差を減少させて等化の精度を向上させることができる。
【０１０３】
［実施の形態２の変形例１］
本発明の実施の形態２の変形例１においては、別の方式でＯＦＤＭ伝送帯域の端部における伝搬路特性の推定値の誤差を抑制する方式について説明する。
【０１０４】
図１１は、本発明の実施の形態２の変形例１に従う伝送路推定部３０ａの概略ブロックを説明する図である。
【０１０５】
図１１を参照して、本発明の実施の形態２の変形例１に従う伝送路推定部３０ａは、補間フィルタ１６と、帯域分割部３７と、ＩＦＦＴ１７ａと、時間マスク１８と、信号調整部３５と、ＦＦＴ１９ａと、有効データ抽出部３９と、情報出力部３８とを含む。
【０１０６】
本発明の実施の形態２の変形例１に従う伝搬路推定部３０ａは、図３で説明した伝搬路推定部３０と比較して、帯域分割部３７と、有効データ抽出部３９と、情報出力部３８とを更に設けた点が異なる。また、Ｍ点についてＩＦＦＴ処理およびＦＦＴ処理をそれぞれ実行するＩＦＦＴ１７、ＦＦＴ１９をＭ＃点についてＩＦＦＴ処理およびＦＦＴ処理をそれぞれ実行するＩＦＦＴ１７ａ、ＦＦＴ１９ａに置換した点が異なる。
【０１０７】
具体的には、補間フィルタ３６と、ＩＦＦＴ１７ａとの間に帯域分割部３７が設けられる。帯域分割部３７は、ＯＦＤＭ伝送帯域を複数の区分に分割してそれぞれの区分毎にＩＦＦＴ１７ａに出力する。
【０１０８】
有効データ抽出部３９は、それぞれの区分毎にＦＦＴ１９ａにて処理した結果から有効データを抽出して等化部６に出力する。
【０１０９】
情報出力部３８は、信号調整部３５に対してしきい値レベルを出力する。
図１２は、帯域分割部３７における帯域分割を説明する図である。
【０１１０】
図１２を参照して、ここでは、ＯＦＤＭ伝送帯域を分割数Ｄで分割した場合が示されている。そして、分割されたＯＦＤＭ伝送帯域に対応して、ＦＦＴ窓区間が設定されている。具体的には、ＯＦＤＭ信号の全搬送波数が、Ｎ個、ＦＦＴ窓区間がＭ＃（＞Ｎ／Ｄ）点である場合が示されている。なお、補間フィルタ１６は、全キャリア数ＮのＯＦＤＭ伝送帯域において、補間処理されたパイロット信号が挿入された搬送波に対する伝搬路特性の推定値を出力している。そして、上述したようにＩＦＦＴ１７ａ、時間マスク１８、信号調整部３５、ＦＦＴ１９により構成される内挿手段により全キャリア数ＮのＯＦＤＭ伝送帯域における各区分毎のデータ信号の伝搬路特性の推定値が出力される。
【０１１１】
当該方式により分割されたＯＦＤＭ伝送帯域に対応するＦＦＴ窓区間の無効区間を狭めることが可能である。これにより、各分割されたＯＦＤＭ伝送帯域におけるＩＦＦＴ、ＦＦＴ処理により検出される信号波形は、無効区間が狭められることにより、伝送帯域端部において、伝送帯域端の部分の振幅が本来の大きさよりも小さな値になることを抑制することが可能である。すなわち、ＩＦＦＴ、ＦＦＴ処理に従う伝送帯域の端部の誤差を抑制することができる。
【０１１２】
また、本例においては、分割されたＯＦＤＭ伝送帯域の境界付近すなわち区分の境界領域においても同様に推定誤差が生じやすいため本例においては、対応する区分である分割されたＯＦＤＭ伝送帯域のみについてＩＦＦＴ、ＦＦＴ処理を実行するのではなく、対応する区分の領域に隣接する区分に含まれる搬送波の伝搬路特性の推定値もＦＦＴ窓区間に含めて処理する。
【０１１３】
これにより、区分の境界領域において信号の連続性が維持され、区分の境界領域における伝搬路特性の推定値の誤差を抑制することが可能である。
【０１１４】
なお、得られた結果については、有効データ抽出部３９において対応する区分の領域については有効区間として処理し、対応する区分に隣接する区分の搬送波を含む部分については無効区間として処理する。
【０１１５】
再び図１１を参照して、帯域分割部３７により分割されたＯＦＤＭ伝送帯域は、各区分毎に処理される。具体的には、図１１に示されるＩＦＦＴ１７ａからＦＦＴ１９ａまでの処理を分割した区分数（Ｄ回）繰り返す。
【０１１６】
そして、有効データ抽出部３９は、上記の各区分毎で処理された結果を受けて有効区間および無効区間に基づいて有効区間を抽出して有効データとして出力する。
【０１１７】
これにより、伝送帯域端における伝搬路特性の推定値の誤差を減少させて等化の精度を向上させることができる。
【０１１８】
また、ＯＦＤＭの伝送帯域を複数の区分に分割する方式であるため、それぞれの区分に従って信号調整部３５におけるしきい値レベルを設定することも可能である。
【０１１９】
本例においては、当該目的のために情報出力部３８が設けられており、情報出力部３８は、各区分に対応してしきい値レベルを信号調整部３５に出力する。なお、図示しないが情報出力部３８は、しきい値レベルを予め格納するメモリ４０を有しているものとする。
【０１２０】
例えば、区分についてセグメント単位で分割を行なうことにより各セグメント毎に信号調整部３５における雑音成分を抑制するしきい値レベルを設定することが可能である。
【０１２１】
具体的には、地上波デジタル放送では、１３セグメントに分割されており、中央の１セグメントを部分受信階層として用いることが行なわれて他の１２セグメントと変調方式が異なる場合がある。例えば、１セグメントについては、ＱＰＳＫの変調方式により変調され、他の１２セグメントについては６４ＱＡＭの変調方式により変調されている。変調方式に従って雑音成分に対する信号の耐性等は異なるため、最適なしきい値レベルは変調方式に従って異なる値にすることが望ましい。
【０１２２】
したがって、例えばＯＦＤＭの伝送帯域をセグメント単位で分割して処理する場合には、情報出力部３８において、現在処理を行なっているセグメントの階層を把握し、部分受信階層（１セグメント受信）の場合とそれ以外の場合（１２セグメント受信）との場合でしきい値レベルを異なる値に設定することが可能である。
【０１２３】
例えば、帯域分割部３７から各区分毎（各セグメント毎）にＩＦＦＴ１７ａに出力されるため帯域分割部３７からセグメント情報を情報出力部３８に出力することにより情報出力部３８において、部分受信階層（１セグメント受信）の場合とそれ以外の場合（１２セグメント受信）との場合でしきい値レベルを切り替えることが可能である。例えば、セグメント情報としては、帯域分割部３７から部分受信階層（１セグメント受信）をＩＦＦＴ１７ａに出力する際に部分受信階層（１セグメント受信）の処理を示す「Ｈ」レベルの信号を情報出力部３８に出力することにより、その信号を受けて動作させることにより実現可能である。
【０１２４】
上記の方式で雑音成分を抑制するしきい値レベルを切り替えることにより全体として受信品質をさらに向上させることができる。
【０１２５】
また、帯域分割部３７により各区分毎に分割されて処理されることにより、ＩＦＦＴ１７ａ，ＦＦＴ１９ａの回路規模を縮小することが可能である。
【０１２６】
［実施の形態２の変形例２］
図１３は、本発明の実施の形態２の変形例２に従う伝送路推定部３０ｂの概略ブロックを説明する図である。
【０１２７】
図１３を参照して、本発明の実施の形態２の変形例２に従う伝送路推定部３０ｂは、図１１の伝送路推定部３０ａと比較して、さらに外挿部３６を補間フィルタ１６と、帯域分割部３７との間に設けた点が異なる。その他の点については同様であるのでその詳細な説明は繰り返さない。
【０１２８】
上述したように外挿部３６は、補間フィルタ１６から出力されたＯＦＤＭ伝送帯域のパイロット信号に対する伝搬路特性の推定値に対して、上述した外挿処理を実行する。
【０１２９】
上記の実施の形態２の変形例１に従う方式においては、ＯＦＤＭ伝送帯域を複数の区分に分割することにより、各区分に対応するＦＦＴ窓区間の無効区間を狭めて各区分の端部において、伝送帯域端の部分の振幅に生じる誤差を抑制する方式について説明した。また、分割されたＯＦＤＭ伝送帯域の境界付近すなわち区分の境界領域においても同様に推定誤差が生じやすいため対応する区分の領域に隣接する区分に含まれる搬送波の値もＦＦＴ窓区間に含めて処理する方式について説明した。
【０１３０】
一方、ＯＦＤＭ伝送帯域を複数の区分に分割した場合、分割した両端に位置する区分については、無効区間が０値の領域が隣接しているため上述したように両端の区分に対応する分割されたＯＦＤＭ伝送帯域の端部において、帯域端の部分の振幅が本来の大きさよりも小さな値になる可能性もある。
【０１３１】
したがって、上述したように外挿部３６を用いて外挿処理を行なうことにより、両端の区分に対応する分割されたＯＦＤＭ伝送帯域の端部においても伝搬路特性の推定値の誤差をさらに抑制することが可能である。これにより、帯域端における伝搬路推定値の誤差をさらに減少させて等化の精度を向上させることができる。すなわち、高い伝搬路推定精度を保持することができ、一層の受信品質の向上を図ることができる。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３３】
【図１】本発明の実施の形態１に従うデジタル放送受信装置の全体構成を示す概略ブロック図である。
【図２】図１におけるＯＦＤＭ復調部１０２の構成を示すブロック図である。
【図３】本発明の実施の形態１に従う伝搬路推定部３０の概略ブロック図である。
【図４】信号調整部３５において、所定のしきい値レベル以下の信号をカットする場合を説明する図である。
【図５】信号調整部３５により所定のしきい値レベル以下の信号をカットした場合を説明する図である。
【図６】ＯＦＤＭ伝送帯域におけるＦＦＴの窓区間を説明する図である。
【図７】図６の信号波形に対してＩＦＦＴ処理およびＦＦＴ処理を実行して元の波形に戻した場合の図である。
【図８】本発明の実施の形態２に従う伝搬路推定部３０＃の概略ブロック図である。
【図９】外挿部３６における外挿処理を説明する図である。
【図１０】図９の信号波形に対してＩＦＦＴ処理およびＦＦＴ処理を実行した場合の図である。
【図１１】本発明の実施の形態２の変形例１に従う伝送路推定部３０ａの概略ブロックを説明する図である。
【図１２】帯域分割部３７における帯域分割を説明する図である。
【図１３】本発明の実施の形態２の変形例２に従う伝送路推定部３０ｂの概略ブロックを説明する図である。
【図１４】従来のデジタル放送受信装置の一般的な構成を示すブロック図である。
【図１５】伝搬路推定部１０の構成を説明する概略ブロック図である。
【図１６】地上波デジタル放送におけるパイロット信号（ＳＰ）の配置を説明する図である。
【図１７】補間フィルタ１６において補間処理するパイロット点を説明する図である。
【図１８】時間マスク１８を通過した時間マスク後のＩＦＦＴ出力を説明する図である。
【符号の説明】
【０１３４】
２  Ａ／Ｄ回路、３  ヒルベルト変換部、４  キャリア同期部、５  ＦＦＴ回路、６  等化部、７  シンボル同期部、８  クロック同期部、１１  周波数デインタリーブ、１２  時間デインタリーブ、１３  デマッピング、１４  ビットデインタリーブ、１５  ビタビ復号部、１６  バイトデインタリーブ、１７  ＴＳ再生部、１８  ＲＳ復号部、１６  補間フィルタ、１７  ＩＦＦＴ、１８  時間マスク、１９  ＦＦＴ、２５  パイロット信号抽出部、３０，３０ａ，３０ｂ  伝搬路推定部、３５  信号調整部、４０  メモリ、１００  チューナ、１０２  ＯＦＤＭ復調部、１０４  ＴＳデコーダ、１１０  ＭＰＥＧデコード部、１１２，１４２  ＲＡＭ、１２０  付加音生成器、１２２  ＰＣＭデコーダ、１３０  オンスクリーンディスプレイ処理部、１５０  音声出力部モデム、１５２  ＩＣカードインターフェイス、１６０．１，１６０．２  合成器、１４４  演算処理部、１４６  高速デジタルインターフェイス、１４８  内蔵蓄積デバイス、１６４  映像出力端子、１８０  外部蓄積デバイス、１８２  外部入力機器、１０００  デジタル放送受信装置、１００２  音声出力部、１００４  表示部。
【図１】
2008278363.tif 000003
【図２】
2008278363.tif 000004
【図３】
2008278363.tif 000005
【図４】
2008278363.tif 000006
【図５】
2008278363.tif 000007
【図６】
2008278363.tif 000008
【図７】
2008278363.tif 000009
【図８】
2008278363.tif 000010
【図９】
2008278363.tif 000011
【図１０】
2008278363.tif 000012
【図１１】
2008278363.tif 000013
【図１２】
2008278363.tif 000014
【図１３】
2008278363.tif 000015
【図１４】
2008278363.tif 000016
【図１５】
2008278363.tif 000017
【図１６】
2008278363.tif 000018
【図１７】
2008278363.tif 000019
【図１８】
2008278363.tif 000020